(57)【要約】【課題】筺体に作用する力の向きに関わらず、筺体の立設状態を安定的に維持すると共に、筺体を傾けた際に脚材や設置面に損傷が生じるのを抑制する貯湯式給湯ユニットを提供する。【解決手段】貯湯タンク１１を収容する筺体１２の底面パネル１６に、少なくとも３つの脚材１７が取り付けられ、各脚材１７を基礎１３に当接した状態でアンカーボルト１８に固定して、基礎１３上に設置される貯湯式給湯ユニット１０において、各脚材１７は、隣り合う脚材１７と異なる方向を向いた状態で筺体１２に取り付けられ、少なくとも隣り合って配置された２つの脚材１７はそれぞれ、相互に非平行な直線部１９ａ、１９ｂが外周に形成された底板部材１９を備え、底板部材１９を備えた隣り合う２つの脚材１７は、基礎１３上で筺体１２を傾けた状態で、一方が直線部１９ａの全体を基礎１３に当接し、他方が直線部１９ｂの全体を基礎１３に当接する。【選択図】図１
2014029231.tif 000002
【特許請求の範囲】
【請求項１】
貯湯タンクを収容する筺体の底面パネルに、少なくとも３つの脚材が取り付けられ、該各脚材を基礎に当接した状態でアンカーボルトに固定して、該基礎上に設置される貯湯式給湯ユニットにおいて、
前記各脚材は、隣り合う該脚材と異なる方向を向いた状態で前記筺体に取り付けられ、
少なくとも隣り合って配置された２つの前記脚材はそれぞれ、相互に非平行な直線部Ａ、Ｂが外周に形成された底板部材を備え、該底板部材を備えた隣り合う２つの該脚材は、前記基礎上で前記筺体を傾けた状態で、一方が前記直線部Ａの全体を該基礎に当接し、他方が前記直線部Ｂの全体を該基礎に当接することを特徴とする貯湯式給湯ユニット。
【請求項２】
請求項１記載の貯湯式給湯ユニットにおいて、前記底面パネルは矩形状に形成され、前記脚材は、４つあって、それぞれ前記底面パネルの４つの角部の近傍に取り付けられ、前記底板部材は前記４つの脚材全てに設けられ、該各々の底板部材は前記直線部Ａの延長線が前記直線部Ｂの延長線に直交することを特徴とする貯湯式給湯ユニット。
【請求項３】
請求項１又は２記載の貯湯式給湯ユニットにおいて、前記基礎に当接するベース板と、前記アンカーボルトに前記ベース板と共に取り付けられ、該ベース板を介して前記基礎に固定される押え板とを備え、前記押え板は、前記基礎に固定された状態で、該押え板と前記基礎の間に収容空間部を設け、前記底板部材を備えた脚材の全て又は一部は、該底板部材を前記収容空間部に差し込んで固定されることを特徴とする貯湯式給湯ユニット。
【請求項４】
請求項３記載の貯湯式給湯ユニットにおいて、前記ベース板は、前記収容空間部の前記底板部材の差し込み口に、該底板部材を該収容空間部に案内するガイド構造を備えることを特徴とする貯湯式給湯ユニット。
【請求項５】
請求項３又は４記載の貯湯式給湯ユニットにおいて、前記ベース板には貫通孔Ｈ１、Ｈ２が、前記押え板には貫通孔ｈ１、ｈ２がそれぞれ形成され、前記ベース板及び前記押え板は、前記貫通孔Ｈ１と該貫通孔Ｈ１の直上に配置された前記貫通孔ｈ１とに前記アンカーボルトが挿通され、前記貫通孔Ｈ２と該貫通孔Ｈ２の直上に配置された前記貫通孔ｈ２とに別の前記アンカーボルトが挿通されて前記基礎に固定され、平面視して、前記貫通孔ｈ１、ｈ２を結ぶ直線は、前記収容空間部に差し込まれた前記底板部材を２分することを特徴とする貯湯式給湯ユニット。
【発明の詳細な説明】
【技術分野】
【０００１】
本発明は、貯湯タンクを複数の脚材で支持する貯湯式給湯ユニットに関する。
【背景技術】
【０００２】
貯湯タンクを配管等と共に筺体内に収容した貯湯式給湯ユニットは、貯湯タンクに湯水を貯留した状態で重量物となって、例えば２００ｋｇを超える。そのため、貯湯式給湯ユニットは、安全性を確保するという観点から、地震や暴風によって転倒しないよう、基礎に設けられたアンカーボルトに固定されるのが一般的である。
貯湯式給湯ユニットは、筺体の下部に取り付けられた複数の脚材に貫通孔が形成され、この貫通孔を挿通したアンカーボルトにナットを装着することによって、アンカーボルトに固定される。
【０００３】
このようなアンカーボルトが挿通可能な複数の脚材を備えた貯湯式給湯ユニットの具体例が特許文献１に記載されている。特許文献１の貯湯式給湯ユニットは３つの脚材を備え、各脚材は貫通孔が形成された底板部材を基礎に当接した状態でアンカーボルトに固定される。
３つの脚材は、筺体の底面パネル（底板）の外周部に間隔を空けて取り付けられているので、底面パネルの中心部に３つの脚材を取り付けるのに比べ、縦長の筺体を立設状態で安定的に保つことができる。
脚材の数は３つに限定されず、筺体に４つの脚材が取り付けられている貯湯式給湯ユニットもある。４つの脚材を筺体の矩形の底面パネルに取り付ける場合も、４つの脚材を底面パネルの４つの角部近傍にそれぞれ取り付けることによって、底面パネルの中心部に４つの脚材を取り付けるのに比べ筺体を立設状態で安定的に保つことが可能である。
【先行技術文献】
【特許文献】
【０００４】
【特許文献１】特開２０１１−２３７０６１号公報
【発明の概要】
【発明が解決しようとする課題】
【０００５】
しかしながら、特許文献１を含む、従来の貯湯式給湯ユニットには、以下に示す改善点があった。
従来の貯湯式給湯ユニットの脚材は、底板部材が長方形状であり、各脚材は、底板部材が隣り合う脚材の底板部材と同じ方向を向くように配置されている。従って、貯湯式給湯ユニットは、筺体に対し、平面視して、脚材の底板部材の短辺に沿った力が作用すると、他の方向から力が作用する場合に比べて転倒し易いという課題があった。
【０００６】
この課題を解決するためには、図９（Ａ）に示すように、各脚材１００を、隣り合う脚材１００の底板部材１０１が異なる方向を向くように配置することが考えられる。この場合、図９（Ｂ）に示すように、運搬、搬入等で、筺体１０２を傾けて斜めにした際に、脚材１００は、底板部材１０１の角部のみが設置面１０３に当接した状態となり、底板部材１０１と設置面１０３の接触部に生じる単位面積当たりの負荷が大きくなって、脚材１００や設置面１０３に損傷を招くおそれがある。なお、図９（Ｂ）は、筺体１０２の上部を紙面に対して奥側に押して、筺体１０２を斜めにした様子を記載している。
本発明は、かかる事情に鑑みてなされるもので、筺体に作用する力の向きに関わらず、筺体の立設状態を安定的に維持すると共に、筺体を傾けた際に脚材や設置面に損傷が生じるのを抑制する貯湯式給湯ユニットを提供することを目的とする。
【課題を解決するための手段】
【０００７】
前記目的に沿う本発明に係る貯湯式給湯ユニットは、貯湯タンクを収容する筺体の底面パネルに、少なくとも３つの脚材が取り付けられ、該各脚材を基礎に当接した状態でアンカーボルトに固定して、該基礎上に設置される貯湯式給湯ユニットにおいて、前記各脚材は、隣り合う該脚材と異なる方向を向いた状態で前記筺体に取り付けられ、少なくとも隣り合って配置された２つの前記脚材はそれぞれ、相互に非平行な直線部Ａ、Ｂが外周に形成された底板部材を備え、該底板部材を備えた隣り合う２つの該脚材は、前記基礎上で前記筺体を傾けた状態で、一方が前記直線部Ａの全体を該基礎に当接し、他方が前記直線部Ｂの全体を該基礎に当接する。
【０００８】
本発明に係る貯湯式給湯ユニットにおいて、前記底面パネルは矩形状（正方形状を含む）に形成され、前記脚材は、４つあって、それぞれ前記底面パネルの４つの角部の近傍に取り付けられ、前記底板部材は前記４つの脚材全てに設けられ、該各々の底板部材は前記直線部Ａの延長線が前記直線部Ｂの延長線に直交するのが好ましい。
【０００９】
本発明に係る貯湯式給湯ユニットにおいて、前記基礎に当接するベース板と、前記アンカーボルトに前記ベース板と共に取り付けられ、該ベース板を介して前記基礎に固定される押え板とを備え、前記押え板は、前記基礎に固定された状態で、該押え板と前記基礎の間に収容空間部を設け、前記底板部材を備えた脚材の全て又は一部は、該底板部材を前記収容空間部に差し込んで固定されるのが好ましい。
【００１０】
本発明に係る貯湯式給湯ユニットにおいて、前記ベース板は、前記収容空間部の前記底板部材の差し込み口に、該底板部材を該収容空間部に案内するガイド構造を備えるのが好ましい。
【００１１】
本発明に係る貯湯式給湯ユニットにおいて、前記ベース板には貫通孔Ｈ１、Ｈ２が、前記押え板には貫通孔ｈ１、ｈ２がそれぞれ形成され、前記ベース板及び前記押え板は、前記貫通孔Ｈ１と該貫通孔Ｈ１の直上に配置された前記貫通孔ｈ１とに前記アンカーボルトが挿通され、前記貫通孔Ｈ２と該貫通孔Ｈ２の直上に配置された前記貫通孔ｈ２とに別の前記アンカーボルトが挿通されて前記基礎に固定され、平面視して、前記貫通孔ｈ１、ｈ２を結ぶ直線は、前記収容空間部に差し込まれた前記底板部材を２分するのが好ましい。
【発明の効果】
【００１２】
本発明に係る貯湯式給湯ユニットは、各脚材が、隣り合う脚材と異なる方向を向いた状態で筺体に取り付けられているので、少なくとも３つの脚材がそれぞれ、底板部材を、隣り合う脚材の底板部材と異なる方向に向けた状態で筺体に取り付けられていることになり、脚材の転倒し易い方向が隣り合う脚材で異なる向きとなり、筺体に作用する力の向きに関わらず、筺体の立設状態を安定的に維持することができる。
また、少なくとも隣り合って配置された２つの脚材が、相互に非平行な直線部Ａ、Ｂを外周に形成した底板部材を備え、底板部材を備えた隣り合う２つの脚材が、基礎上で筺体を傾けた状態で、一方の脚材の直線部Ａの全体を基礎に当接し、他方の脚材の直線部Ｂの全体を基礎に当接するので、筺体を傾けた際に、底板部材の角部のみが基礎に当接する場合に比べ、脚材と基礎の当接部に生じる単位面積当たりの負荷を低減でき、脚材や基礎の損傷を抑制可能である。
【００１３】
本発明に係る貯湯式給湯ユニットにおいて、底面パネルが矩形状に形成され、脚材が、４つあって、それぞれ底面パネルの４つの角部の近傍に取り付けられ、底板部材が４つの脚材全てに設けられ、各々の底板部材が直線部Ａの延長線と直線部Ｂの延長線を直交させる場合、筺体を立設状態で安定して保つことができる。
【００１４】
本発明に係る貯湯式給湯ユニットにおいて、底板部材を備えた脚材の全て又は一部が、押え板と基礎の間に設けられた収容空間部に底板部材を差し込んで固定される場合、筺体と構造物の間に人が入るスペースがない場所に対しても、貯湯式給湯ユニットを容易に基礎上に設置することができる。
【００１５】
本発明に係る貯湯式給湯ユニットにおいて、ベース板が、収容空間部の底板部材の差し込み口に、底板部材を収容空間部に案内するガイド構造を備える場合、特殊な部材を用いることなく底板部材を収容空間部に容易に差し込むことができる。
【００１６】
本発明に係る貯湯式給湯ユニットにおいて、ベース板には貫通孔Ｈ１、Ｈ２が、押え板には貫通孔ｈ１、ｈ２がそれぞれ形成され、ベース板及び押え板が、貫通孔Ｈ１と貫通孔Ｈ１の直上に配置された貫通孔ｈ１とにアンカーボルトを挿通し、貫通孔Ｈ２と貫通孔Ｈ２の直上に配置された貫通孔ｈ２とに別のアンカーボルトを挿通して基礎に固定され、平面視して、貫通孔ｈ１、ｈ２を結ぶ直線が、収容空間部に差し込まれた底板部材を２分する場合、押え板は、収容空間部に差し込まれた底板部材を強固に固定可能である。
【図面の簡単な説明】
【００１７】
【図１】本発明の一実施の形態に係る貯湯式給湯ユニットの側断面図である。
【図２】同貯湯式給湯ユニットの脚材の配置を示す説明図である。
【図３】同貯湯式給湯ユニットの脚材の取り付けを示す説明図である。
【図４】同貯湯式給湯ユニットの筺体を傾けた状態を示す説明図である。
【図５】同貯湯式給湯ユニットの設置位置を示す説明図である。
【図６】（Ａ）、（Ｂ）はそれぞれ、ベース板及び押え板と収容空間部に差し込まれた状態の底板部材の平面図及び側面図である。
【図７】ベース板及び押え板の変形例を示す説明図である。
【図８】（Ａ）〜（Ｃ）はそれぞれ、収容空間部に差し込まれる底板部材の動作を示す説明図である。
【図９】（Ａ）、（Ｂ）は従来の同貯湯式給湯ユニットの説明図である。
【発明を実施するための形態】
【００１８】
続いて、添付した図面を参照しつつ、本発明を具体化した実施の形態につき説明し、本発明の理解に供する。
図１に示すように、本発明の一実施の形態に係る貯湯式給湯ユニット１０は、貯湯タンク１１と、貯湯タンク１１を収容する筺体１２とを備え、基礎１３上に設置される。以下、詳細に説明する。
【００１９】
貯湯タンク１１は、図１、図２に示すように、縦に長く、平面視して円形に形成され、２００〜５００Ｌの湯を蓄えられる容量を備えている。貯湯タンク１１が図示しない配管等と共に収容される筺体１２は、貯湯タンク１１の前後左右をそれぞれ覆う４つの側壁パネル１４と貯湯タンク１１の直上に配置された上面パネル１５と貯湯タンク１１の直下に配置された底面パネル１６を有し、縦に長い直方体状に形成されている。上面パネル１５及び底面パネル１６は矩形状（正方形状を含む）に形成されている。
【００２０】
底面パネル１６には、外周部に複数（少なくとも３つ、本実施の形態では４つ）の脚材１７が取り付けられ、この複数の脚材１７は、基礎１３に固定されて、筺体１２を立設状態で支持する。本実施の形態では、４つの脚材１７が、底面パネル１６の４つの角部の近傍にそれぞれ設けられている。
基礎１３には複数（本実施の形態では６つ）のアンカーボルト１８が設けられ、１つの脚材１７が１つ、あるいは、２つのアンカーボルト１８に固定されることによって、筺体１２は基礎１３に固定される。
【００２１】
各脚材１７は、図２、図３に示すように、基礎１３に当接する金属製の底板部材１９と、下部が底板部材１９に連結され、底面パネル１６に下から当接する立設部材２０を備えている。
底板部材１９は、矩形の板材から隣り合う２つの角部を取り除いて形成された直線部１９ａ（直線部Ａ）及び直線部１９ｂ（直線部Ｂ）を外周に備えた形状を有している。本実施の形態では、図２に示すように、底板部材１９が、長方形状と二等辺三角形状とを連結して一体とした五角形状である。
各々の脚材１７において、底板部材１９の外周に形成された直線部１９ａ、１９ｂは、相互に非平行であり、本実施の形態では、直線部１９ａの延長線が直線部１９ｂの延長線に直交している。なお、直線部１９ａと直線部１９ｂが直接、直角の角部を形成する場合もある。
底板部材１９は、プレス加工によって形成することや、矩形の板材を切断加工して形成することができる。
【００２２】
立設部材２０は、図３に示すように、鉛直に配置した金属板の左側部（片）及び右側部（片）をそれぞれ中央部（片）に対して直角に折り曲げ、各部の上側を、折り曲げ線に沿って切断して外側へ直角に折り曲げ、３つの水平面部２１、２１ａ、２１ｂを設けることによって形成されている。水平面部２１は水平面部２１ｂから離れて配置され、水平面部２１ａは水平面部２１、２１ｂにそれぞれ近接している。
立設部材２０は、この３つの水平面部２１、２１ａ、２１ｂそれぞれの上側全面を底面パネル１６に当接することによって、立設部材２０が底面パネル１６に面接触するようにし、底面パネル１６を安定的に支持している。
【００２３】
貯湯タンク１１の下部には、図１、図３に示すように、金属板を折り曲げ平断面Ｌ字状に加工された４つの連結金具２２が溶接によって取り付けられている。４つの連結金具２２は、同一高さで等間隔に配置され、それぞれに２つの貫通孔２３が形成されている。この２つの貫通孔２３は、異なった高さ位置に配置され、垂直な関係にある２つの平板部にそれぞれ設けられている。
連結金具２２には、縦長の金属板を平断面Ｌ字状に折り曲げたジョイント材２４が連結されている。ジョイント材２４には、連結金具２２の２つの貫通孔２３にそれぞれ対応する２つの貫通孔２５が形成され、貫通孔２３、２５を挿通する図示しない螺子部材によって、ジョイント材２４は、連結金具２２を介して貯湯タンク１１に固定される。
そして、貯湯タンク１１は、このジョイント材２４によって、筺体１２内で立設状態で保たれている。
【００２４】
ジョイント材２４の下部には底面パネル１６の上面に当接する金属製の水平板２６が溶接によって固定されている。各水平板２６には、２つの貫通孔２７が形成され、底面パネル１６には、４つの水平板２６にある合計８つの貫通孔２７にそれぞれ対応する８つの図示しない貫通孔が形成されている。そして、立設部材２０にも、水平面部２１、２１ｂそれぞれに１つずつ貫通孔２８が形成されている。なお、水平面部２１、２１ｂに加えて水平面部２１ａにも貫通孔２８を形成し、水平板２６に３つの貫通孔２７を設けるようにしてもよい。
【００２５】
水平板２６及び立設部材２０は、上下から底面パネル１６を挟んだ状態で、水平板２６の貫通孔２７、底面パネル１６の貫通孔及び立設部材２０の貫通孔２８を挿通する図示しない螺子部材によって連結され、ジョイント材２４及び脚材１７を底面パネル１６に固定している。
４つの脚材１７は、図２に示すように、平面視して、貯湯タンク１１の外縁に沿って等間隔に配置されている。
【００２６】
各脚材１７は、底板部材１９が、隣り合う脚材１７の底板部材１９と異なる方向を向いた状態（即ち、各脚材１７は、隣り合う脚材１７と異なる方向を向いた状態）で底面パネル１６に取り付けられている。
各脚材１７を隣り合う脚材１７と異なる方向を向くように配置しているのは、個々の脚材１７は、脚材１７の立設状態を保つ安定性が、脚材１７に作用する水平方向の力の向きによって異なるためである。４つの脚材１７を、隣り合う脚材１７の底板部材１９が異なる方向を向いた状態で配置することによって、筺体１２に作用する力の向きに関わらず、４つの脚材１７が筺体１２の立設状態を安定して維持可能となる。
【００２７】
そして、各脚材１７は、隣り合う２つの脚材１７が、基礎１３上で筺体１２を傾けた状態で、一方の脚材１７の直線部１９ａの全体と他方の脚材１７の直線部１９ｂの全体とを基礎１３に当接可能な位置に配置されている。
このため、図４に示すように、筺体１２を傾けた際に、直線部１９ａの全体を基礎１３に当接した脚材１７と、その脚材１７の隣りにあって、基礎１３に直線部１９ｂの全体を当接した脚材１７とによって筺体１２が支持される。このようにすることにより、基礎に底板部材の角部のみを当接させる場合に比べ、底板部材と基礎の接触部に生じる単位面積当たりの負荷は小さくなり、基礎や脚材が損傷するのを抑制できる。なお、図４では、立設状態の筺体１２の上部を紙面に対して奥側に押して、筺体１２を傾けた様子を示している。
本実施の形態では、平面視して、対角線上に位置する２つの脚材１７が逆方向を向き、隣り合う脚材１７の向きが９０°異なるように配置され、更に、各脚材１７は、直線部１９ａ、１９ｂがそれぞれ隣り合う２つの側壁パネル１４に沿うように配置されている。
【００２８】
貯湯式給湯ユニット１０が設置される基礎１３は、基礎コンクリート、あるいは、量産式のブロックであり、アンカーボルト１８は、図１に示すように、下側が基礎１３に埋め込まれ、上側が基礎１３から突出している。
基礎１３は、図５に示すように、平面視して、底面パネル１６より大きい矩形状（正方形状を含む）であり、基礎１３の上側に貯湯式給湯ユニット１０が設置される広さを確保している。
本実施の形態において、貯湯式給湯ユニット１０は、３つの側壁パネル１４が建造物２９によって覆われた状態となる位置Ｐに設置され、基礎１３はこの位置Ｐに設けられている。
【００２９】
４つの側壁パネル１４のうち、建造物２９によって覆われない１つの側壁パネル１４を手前側の側壁パネル１４、この手前側の側壁パネル１４に対向して配置された側壁パネル１４を奥側の側壁パネル１４として、以下説明を続ける。
各脚材１７は、図２、図３、図５に示すように、底板部材１９にアンカーボルト１８が挿通可能な貫通孔３０を備えている。手前側の側壁パネル１４の近傍にある２つの脚材１７（以下、「手前側の脚材１７」とも言う）は、底板部材１９を基礎１３に当接した状態で、貫通孔３０に挿通されたアンカーボルト１８に、図示しないナットを螺合することによって、直接、アンカーボルト１８に固定される。
【００３０】
一方、奥側の側壁パネル１４の近傍にある２つの脚材１７（以下、「奥側の脚材１７」とも言う）は、筺体１２を位置Ｐに配置した状態で筺体１２と建造物２９の間に作業員が入るスペースがないことから、特殊な工具を使用しない限り、貫通孔３０に挿通したアンカーボルト１８にナットを螺合させることはできない。このため、奥側の脚材１７は、アンカーボルト１８に直接、固定することなく、底板部材１９を基礎１３に当接した状態で基礎１３に固定される。
【００３１】
本実施の形態では、図６（Ａ）、（Ｂ）に示すように、基礎１３に当接するベース板３１とベース板３１を介して基礎１３に固定される押え板３２とが、奥側の脚材１７を基礎１３に固定する部材として用いられている。
ベース板３１は、長さの等しい２つの細長片３３、３３ａが直角に連結されて一体となったＬ字状の金属板であり、ベース板３１の両端近傍の位置にそれぞれ貫通孔３４（貫通孔Ｈ１）及び貫通孔３５（貫通孔Ｈ２）が形成されている。
押え板３２は正方形状の金属板であり、一辺の長さがベース板３１の細長片３３の長さ及び細長片３３ａの長さに等しく、対角線上に位置する２つの角部近傍にそれぞれ貫通孔３６（貫通孔ｈ１）及び貫通孔３７（貫通孔ｈ２）が形成されている。貫通孔３６、３７は、それぞれベース板３１の貫通孔３４、３５に対応した位置に配置されている。
ベース板３１及び押え板３２は、このように簡素な形状であるので、金型を用いることなく製造可能であり、イニシャルコストの抑制を図ることができる。
【００３２】
押え板３２は、貫通孔３６、３７がそれぞれベース板３１の貫通孔３４、３５の直上に配置された状態でベース板３１に載置される。
そして、ベース板３１及び押え板３２は、貫通孔３４と貫通孔３４の直上にある貫通孔３６とにアンカーボルト１８が挿通され、貫通孔３５と貫通孔３５の直上にある貫通孔３７とに別のアンカーボルト１８が挿通され、この２本のアンカーボルト１８にそれぞれナット３８、３８ａを螺合することによって、基礎１３に固定される。
なお、ナット３８と押え板３２の間及びナット３８ａと押え板３２の間には、それぞれアンカーボルト１８に装着されたワッシャー３９が設けられている。
【００３３】
押え板３２は、ベース板３１を介して基礎１３に固定された状態で、押え板３２と基礎１３の間に収容空間部４０を設ける。奥側の脚材１７は、底板部材１９が収容空間部４０に差し込まれ、平面視して、底板部材１９の隣り合う直線部１９ａ、１９ｂがそれぞれベース板３１の２辺に当接する位置（以下、「固定位置」とも言う）に配置されて基礎１３に固定される。
【００３４】
貫通孔３６、３７は、図６（Ａ）に示すように、押え板３２を平面視して、貫通孔３６、３７を結ぶ直線が、収容空間部４０に差し込まれ、固定位置に配置された底板部材１９を２分する位置に形成されている。
このため、底板部材１９が押え板３２に対して押え板３２を押し上げようとする力を与えたとしても、アンカーボルト１８に螺合されたナット３８、３８ａは、貫通孔３６、３７を結ぶ直線が固定位置に配置された底板部材１９を２分しない場合（図７参照）に比べ、押え板３２をアンカーボルト１８に固定した状態を保つことができる。
【００３５】
また、ベース板３１は、収容空間部４０の底板部材１９の差し込み口に、底板部材１９を収容空間部４０に案内する２つのガイド構造４１を備えている。２つのガイド構造４１は、ベース板３１の両端部（細長片３３、３３ａの先端部）にそれぞれ設けられ、固定位置に配置された底板部材１９に対し非接触となる位置に形成されている。本実施の形態では、ガイド構造４１は直線的に形成されているが、これに限定されず、ガイド構造４１は湾曲した凸状のＲ曲状であってもよい。
【００３６】
作業者は、図８（Ａ）〜（Ｃ）に示すように、底板部材１９がベース板３１のガイド構造４１に接触した状態で、手前側の側壁パネル１４から奥側の側壁パネル１４に向かって力を与えることにより、底板部材１９を固定位置に納めることができる。
従って、作業者は、ベース板３１及び押え板３２から離れた奥側の脚材１７の底板部材１９を、精密な位置合わせを行うことなく、収容空間部４０に差し込んで固定位置に納めることができる。
【００３７】
また、底板部材１９を固定位置に納める際に、ベース板３１のガイド構造４１に当接する底板部材１９の角部は、Ｒ加工がなされているので、ベース板３１のガイド構造４１に当接した底板部材１９を固定位置に容易に納めることができる。ここで、ガイド構造４１に当接する底板部材１９の角部とは、底板部材１９を固定位置に収めた状態で、ベース板３１に当接する２辺が交わる位置にある角部である。
【００３８】
貯湯式給湯ユニット１０の設置は、基礎１３に２組のベース板３１及び押え板３２を固定した後に、筺体１２を、図５に示すように、位置Ｐに向かって移動させ、２つの奥側の脚材１７の底板部材１９をそれぞれ２つの収容空間部４０に差し込み、その後、手前側の２本の脚材１７をそれぞれアンカーボルト１８が挿通するようにして、そのアンカーボルト１８にナットを螺合することによって行われる。
【００３９】
以上、本発明の実施の形態を説明したが、本発明は、上記した形態に限定されるものでなく、要旨を逸脱しない条件の変更等は全て本発明の適用範囲である。
例えば、底板部材の形状は五角形状に限定されず三角形状、あるいは、六角形状であってもよい。
また、ベース板及び押え板を用いてアンカーボルトに固定する脚材の数は２つに限定されず、貯湯式給湯ユニットの設置場所に応じて、例えば、１つの脚材のみがベース板及び押え板によってアンカーボルトに固定される場合もある。
そして、脚材は少なくとも３つあればよく、４つに限定されない。脚材を３つ設ける場合、２つの脚材を、矩形の底面パネルの隣り合う２つの角部の近傍にそれぞれ取り付けることで、脚材を傾けた際に、その２つの脚材の一方の直線部Ａの全体とその２つの脚材の他方の直線部Ｂとを基礎に当接させることができる。
【００４０】
更に、直線部Ａ、Ｂを備えた底板部材は、隣り合って配置された少なくとも２つの脚材に設けられていればよく、全ての脚材が直線部Ａ、Ｂを備えた底板部材を備えている必要はない。例えば、３つの脚材が筺体に取り付けられている場合、２つの脚材が直線部Ａ、Ｂを備えた底板部材を有し、残りの１つの脚材は底板部材が直線部Ａ、Ｂを備えないものであってもよい。筺体を傾けた際に、直線部Ａ、Ｂのある底板部材を備えた２つの脚材を基礎に当接させることで、この２つの脚材は、一方が直線部Ａの全体を基礎に当接し、他方が直線部Ｂの全体を基礎に当接することができる。直線部Ａ、Ｂを備えない底板部材の形状は限定されず、例えば、矩形であってもよい。収容空間部に差し込まれる底板部材は、直線部Ａ、Ｂを備えたものである。
【符号の説明】
【００４１】
１０：貯湯式給湯ユニット、１１：貯湯タンク、１２：筺体、１３：基礎、１４：側壁パネル、１５：上面パネル、１６：底面パネル、１７：脚材、１８：アンカーボルト、１９：底板部材、１９ａ、１９ｂ：直線部、２０：立設部材、２１、２１ａ、２１ｂ：水平面部、２２：連結金具、２３：貫通孔、２４：ジョイント材、２５：貫通孔、２６：水平板、２７、２８：貫通孔、２９：建造物、３０：貫通孔、３１：ベース板、３２：押え板、３３、３３ａ：細長片、３４〜３７：貫通孔、３８、３８ａ：ナット、３９：ワッシャー、４０：収容空間部、４１：ガイド構造
【図１】
2014029231.tif 000003
【図２】
2014029231.tif 000004
【図３】
2014029231.tif 000005
【図４】
2014029231.tif 000006
【図５】
2014029231.tif 000007
【図６】
2014029231.tif 000008
【図７】
2014029231.tif 000009
【図８】
2014029231.tif 000010
【図９】
2014029231.tif 000011